(57)【要約】【課題】  障害発生時でも通信経路の状態を監視できる通信装置及び通信システムを提供する。【解決手段】  通信装置は、所定の通信装置とネットワークの間の通信を中継する通信装置において、他の通信装置と前記所定の通信装置の間の回線に障害が発生したとき、前記ネットワークから前記他の通信装置を介して信号を受信し、前記所定の通信装置に転送する転送処理部と、前記障害が発生したとき、前記他の通信装置と前記ネットワークの間の通信経路を監視するための監視パケットを前記他の通信装置から受信し、前記監視パケットに対する応答パケットを前記他の通信装置に送信する送受信部とを有する。【選択図】図６
2017092870.tif 000002
【特許請求の範囲】
【請求項１】
所定の通信装置とネットワークの間の通信を中継する通信装置において、
他の通信装置と前記所定の通信装置の間の回線に障害が発生したとき、前記ネットワークから前記他の通信装置を介して信号を受信し、前記所定の通信装置に転送する転送処理部と、
前記障害が発生したとき、前記他の通信装置と前記ネットワークの間の通信経路を監視するための監視パケットを前記他の通信装置から受信し、前記監視パケットに対する応答パケットを前記他の通信装置に送信する送受信部とを有することを特徴とする通信装置。
【請求項２】
前記送受信部は、前記障害が発生したとき、前記他の通信装置からの指示に従い前記監視パケットの受信及び前記応答パケットの送信を開始することを特徴とする請求項１に記載の通信装置。
【請求項３】
所定の通信装置とネットワークの間の通信を中継する通信装置において、
前記ネットワークから信号を受信して前記所定の通信装置に転送する転送処理部と、
前記ネットワークから、前記ネットワークとの間の通信経路を監視するための監視パケットを受信し、前記監視パケットに対する応答パケットを前記ネットワークに送信する送受信部とを有し、
前記転送処理部は、前記所定の通信装置との間の回線に障害が発生したとき、他の通信装置を介して前記信号を前記所定の通信装置に転送し、前記ネットワークからの前記監視パケットを前記他の通信装置に送信し、前記他の通信装置から前記監視パケットに対する応答パケットを受信して前記ネットワークに転送し、
前記送受信部は、前記障害が発生したとき、前記監視パケットの受信及び前記応答パケットの送信を停止することを特徴とする通信装置。
【請求項４】
前記障害が発生したとき、前記他の通信装置に、前記監視パケットの受信及び前記応答パケットの送信の開始を指示する指示部を、さらに有することを特徴とする請求項３に記載の通信装置。
【請求項５】
所定の通信装置とネットワークの間の通信を中継する第１通信装置及び第２通信装置を有する通信システムにおいて、
前記第１通信装置は、
前記第２通信装置と前記所定の通信装置の間の回線に障害が発生したとき、前記ネットワークから前記第２通信装置を介して信号を受信し、前記所定の通信装置に転送する第１転送処理部と、
前記障害が発生したとき、前記第２通信装置と前記ネットワークの間の通信経路を監視するための監視パケットを前記第２通信装置から受信し、前記監視パケットに対する応答パケットを前記第２通信装置に送信する第１送受信部とを有し、
前記第２通信装置は、
前記ネットワークから前記信号を受信して前記所定の通信装置に転送する第２転送処理部と、
前記ネットワークから前記監視パケットを受信し、前記監視パケットに対する前記応答パケットを前記ネットワークに送信する第２送受信部とを有し、
前記第２転送処理部は、前記障害が発生したとき、前記第１通信装置を介して前記信号を前記所定の通信装置に転送し、前記ネットワークからの前記監視パケットを前記第１通信装置に送信し、前記第１通信装置から前記応答パケットを受信して前記ネットワークに転送し、
前記第２送受信部は、前記障害が発生したとき、前記監視パケットの受信及び前記応答パケットの送信を停止することを特徴とする通信システム。
【発明の詳細な説明】
【技術分野】
【０００１】
本件は、通信装置及び通信システムに関する。
【背景技術】
【０００２】
通信装置間を接続する複数のリンクを束ねて単一の論理リンクとして扱う技術として、ＬＡＣＰ（Link Aggregation Control Protocol）に基づくＬＡＧ（Link Aggregation）が知られている。ＬＡＧによると、複数のリンクを冗長化することができ、現用系のリンクに障害が発生しても、予備系のリンクを介して通信を継続することができる。なお、ＬＡＧは、例えばＩＥＥＥ（The Institute of Electrical and Electronics Engineers, Inc.）８０２．３ａｄに規定されている。
【０００３】
また、１台の通信装置に接続された複数台の通信装置のリンクに跨がってＬＡＧを実現する技術として、ＭＣ（Multi-Chassis）−ＬＡＧが知られている（例えば特許文献１参照）。ＭＣ−ＬＡＧによると、複数台の通信装置は、互いにＤＲＣＰ（Distributed  Relay Control Protocol）パケットを送受信することにより、上記の１台の通信装置から単一の装置として扱われる。
【０００４】
さらにＭＣ−ＬＡＧによると、複数台の通信装置を冗長化することができ、現用系の通信装置のリンクに障害が発生しても、予備系の通信装置のリンクを介して通信の継続が可能である。なお、ＭＡＣ−ＬＡＧは、例えばＩＥＥＥ８０２．１ａｘに規定されている。
【０００５】
また、通信装置内のＯＡＭ（Operations, Administrations and Maintenance）機能の終端点として、ＭＥＰ（Maintenance End Point）（例えば特許文献２参照）が知られている。通信装置は、ＭＥＰ間において、接続性を検査するＣＣＭ（Continuity Check Message）を送受信することにより、通信装置間の通信経路の状態の監視が可能となる。なお、ＭＥＰは、例えばＩＴＵ−Ｔ（International Telecommunication Union Telecommunication Standardization Sector）勧告Ｙ．１７３１に規定されている。
【先行技術文献】
【特許文献】
【０００６】
【特許文献１】特開２０１４−９６６５６号公報
【特許文献２】特開２０１２−２０５２８６号公報
【発明の概要】
【発明が解決しようとする課題】
【０００７】
ＭＣ−ＬＡＧによると、リンクに障害が発生した場合、通信経路が切り替えられるが、通信装置内のＭＥＰは切り替え前の通信経路上に設定されたままである。このため、通信装置では、ＣＣＭの未受信による警報（例えばＬＯＣ（Loss Of Continuity））が誤って検出され、切り替え後の通信経路の状態の監視ができないという問題がある。
【０００８】
そこで本件は上記の課題に鑑みてなされたものであり、障害発生時でも通信経路の状態を監視できる通信装置及び通信システムを提供することを目的とする。
【課題を解決するための手段】
【０００９】
本明細書に記載の通信装置は、所定の通信装置とネットワークの間の通信を中継する通信装置において、他の通信装置と前記所定の通信装置の間の回線に障害が発生したとき、前記ネットワークから前記他の通信装置を介して信号を受信し、前記所定の通信装置に転送する転送処理部と、前記障害が発生したとき、前記他の通信装置と前記ネットワークの間の通信経路を監視するための監視パケットを前記他の通信装置から受信し、前記監視パケットに対する応答パケットを前記他の通信装置に送信する送受信部とを有する。
【００１０】
本明細書に記載の通信装置は、所定の通信装置とネットワークの間の通信を中継する通信装置において、前記ネットワークから信号を受信して前記所定の通信装置に転送する転送処理部と、前記ネットワークから、前記ネットワークとの間の通信経路を監視するための監視パケットを受信し、前記監視パケットに対する応答パケットを前記ネットワークに送信する送受信部とを有し、前記転送処理部は、前記所定の通信装置との間の回線に障害が発生したとき、他の通信装置を介して前記信号を前記所定の通信装置に転送し、前記ネットワークからの前記監視パケットを前記他の通信装置に送信し、前記他の通信装置から前記監視パケットに対する応答パケットを受信して前記ネットワークに転送し、前記送受信部は、前記障害が発生したとき、前記監視パケットの受信及び前記応答パケットの送信を停止する。
【００１１】
本明細書に記載の通信システムは、所定の通信装置とネットワークの間の通信を中継する第１通信装置及び第２通信装置を有し、前記第１通信装置は、前記第２通信装置と前記所定の通信装置の間の回線に障害が発生したとき、前記ネットワークから前記第２通信装置を介して信号を受信し、前記所定の通信装置に転送する第１転送処理部と、前記障害が発生したとき、前記第２通信装置と前記ネットワークの間の通信経路を監視するための監視パケットを前記第２通信装置から受信し、前記監視パケットに対する応答パケットを前記第２通信装置に送信する第１送受信部とを有し、前記第２通信装置は、前記ネットワークから前記信号を受信して前記所定の通信装置に転送する第２転送処理部と、前記ネットワークから前記監視パケットを受信し、前記監視パケットに対する前記応答パケットを前記ネットワークに送信する第２送受信部とを有し、前記第２転送処理部は、前記障害が発生したとき、前記第１通信装置を介して前記信号を前記所定の通信装置に転送し、前記ネットワークからの前記監視パケットを前記第１通信装置に送信し、前記第１通信装置から前記応答パケットを受信して前記ネットワークに転送し、前記第２送受信部は、前記障害が発生したとき、前記監視パケットの受信及び前記応答パケットの送信を停止する。
【発明の効果】
【００１２】
障害発生時でも通信経路の状態を監視できる。
【図面の簡単な説明】
【００１３】
【図１】ネットワーク構成の一例を示す構成図である。
【図２】比較例の通信システムを示す構成図である。
【図３】比較例の通信システムの通信経路の切り替え動作を示す図である。
【図４】実施例の通信システムを示す構成図である。
【図５】実施例の通信システムの通信経路の切り替え前の動作を示す図である。
【図６】実施例の通信システムの通信経路の切り替え後の動作を示す図である。
【図７】実施例の通信システムの動作を示すシーケンス図である。
【図８】ＤＲＣＰパケットの一例を示す構成図である。
【図９】ＭＥＰの切り替えに関する制御パケットの他例を示す構成図である。
【図１０】ＭＥＰインスタンスグループの切り替え動作の一例を示す図である。
【発明を実施するための形態】
【００１４】
図１は、ネットワーク構成の一例を示す構成図である。ネットワーク構成には、通信装置１〜３，９と、コアネットワークＮＷとが含まれる。なお、コアネットワークＮＷは、ネットワークの一例であり、例えばＬＡＮ（Local Area Network）であってもよい。
【００１５】
通信装置３は、所定の通信装置の一例であり、例えば通信サービスの加入者側の回線を終端する装置である。通信装置３は、光ファイバなどの伝送路を介し通信装置１，２と接続されている。
【００１６】
通信装置１，２は、それぞれ、第１通信装置及び第２通信装置の一例であり、例えばルータである。通信装置１，２は、複数のポートにより下流側の通信装置３と接続され、上流側のコアネットワークＮＷと接続されている。これにより、通信装置１，２は、通信装置３とコアネットワークＮＷの通信を中継する。通信装置３は、通信装置１を経由する通信経路Ｒａを介しネットワークＮＷと通信し、通信装置２を経由する通信経路Ｒｃを介しネットワークＮＷと通信する。なお、コアネットワークＮＷは、他の通信装置９を介し他のネットワークと接続されている。
【００１７】
通信装置１，２は、通信装置３との間でＭＣ−ＬＡＧが形成されるように設定されている。通信装置１，２は、互いにＤＲＣＰパケットを送受信することにより、通信装置３から１台の装置として扱われる。
【００１８】
また、通信装置１，２は、冗長化されており、通信装置１，２の一方と通信装置３の間の回線に障害が発生した場合、通信装置１，２の他方と通信装置３の間の回線を介して通信の中継が継続される。例えば、通信装置３と通信装置２の間の回線（つまりリンク）に障害が発生した場合（×印参照）、通信装置１は、通信装置２を介してネットワークＮＷと通信することにより、通信装置２の中継処理を継続する。
【００１９】
このため、通信装置３は、障害が発生した通信経路Ｒｃに代えて、通信装置１，２を経由する通信経路Ｒｂを介しネットワークＮＷと通信する。すなわち、通信装置３と通信装置２の間の回線に障害が発生した場合、通信装置２の中継経路が、現用系の通信経路Ｒｃから予備系の通信経路Ｒｂに切り替えられる。
【００２０】
通信装置３は、通信装置２との間の回線の障害を検出した場合、通信装置２へのパケットの送信を中断し、通信装置２宛てのパケットを通信装置１に送信する。通信装置１は、通信装置２宛てのパケットを受信すると、宛先に従い通信装置２に転送する。
【００２１】
また、通信装置２は、通信装置２との間の回線の障害を検出した場合、ネットワークＮＷから通信装置３宛てのパケットを受信すると、宛先に従い通信装置１に転送する。これにより、通信装置３は、通信経路Ｒｃを介してネットワークＮＷと通信する。なお、パケットとしては、一例としてイーサネット（登録商標）フレームが挙げられるが、これに限定されず、例えばＩＰ（Internet Protocol）パケットが用いられてもよい。また、パケットは信号の一例である。
【００２２】
図２は、比較例の通信システムを示す構成図である。通信システムは、通信装置１〜５を有する。通信装置１〜３は、図１を参照して述べたものであり、通信装置４，５は、図１のコアネットワークＮＷ内の装置であり、例えばレイヤ２スイッチである。
【００２３】
なお、本例の通信システムにおいて、通信装置３は、通信装置１，２から見て加入者回線側に設けられ、通信装置４，５は、通信装置１，２から見てネットワーク回線側に設けられている。また、図２において、予備系の通信経路Ｒｂに関し、通信経路の切り替え前（障害の未発生時）に用いられない部分は、点線で示されている。
【００２４】
通信装置１は、インターフェース（ＩＦ）カード１１〜１３と、スイッチ（ＳＷ）カード１４と、制御カード１０ａとを有する。また、通信装置２は、ＩＦカード２１〜２３と、ＳＷカード２４と、制御カード２０ａとを有する。
【００２５】
ＩＦカード１１〜１３，２１〜２３、ＳＷカード１４，２４、及び制御カード１０ａ，２０ａは、例えば電子部品が実装された回路基板であり、通信装置１，２の筐体の前面に設けられた個別のスロットに挿入される。ＩＦカード１１〜１３、ＳＷカード１４、及び制御カード１０ａは、通信装置１の背面に設けられた配線基板を介して通信し、ＩＦカード２１〜２３、ＳＷカード２４、及び制御カード２０ａは、通信装置２の背面に設けられた配線基板を介して通信する。
【００２６】
通信装置１において、ＩＦカード１１は通信装置３との間の回線の終端処理を行い、ＩＦカード１２は通信装置４との間の回線の終端処理を行う。また、ＩＦカード１３は通信装置２のＩＦカード２３との間の回線の終端処理を行う。ＳＷカード１４は、ＩＦカード１１〜１３間においてパケットを交換する。すなわち、ＳＷカード１４は、ＩＦカード１１〜１３から入力されたパケットを、その宛先に応じたＩＦカード１１〜１３に出力する。また、制御カード１０ａは、ＩＦカード１１〜１３及びＳＷカード１４に対し、各種の制御及び設定や警報の検出を行う。
【００２７】
また、通信装置２において、ＩＦカード２１は通信装置３との間の回線の終端処理を行い、ＩＦカード２２は通信装置５との間の回線の終端処理を行う。また、ＩＦカード２３は通信装置１のＩＦカード１３との間の回線の終端処理を行う。ＳＷカード２４は、ＩＦカード２１〜２３間においてパケットを交換する。すなわち、ＳＷカード２４は、ＩＦカード２１〜２３から入力されたパケットを、その宛先に応じたＩＦカード２１〜２３に出力する。また、制御カード２０ａは、ＩＦカード２１〜２３及びＳＷカード２４に対し、各種の制御及び設定や警報の検出を行う。
【００２８】
ＩＦカード１１，２１は、通信装置３と接続されている。通信装置３は、転送部（ＦＷＤ）３０と、ポートＰ３０〜Ｐ３２とを有する。転送部３０は、下流側のネットワークから受信したパケットをポートＰ３０〜Ｐ３２に転送し、ポートＰ３０〜Ｐ３２から入力されたパケットを下流側のネットワークに転送する。
【００２９】
ポートＰ３０〜Ｐ３２は、ＬＥＤ（Lase Emission Diode）などの送信器、ＰＤ（Photo Detector）などの受信器、及びＰＨＹ（Physical Layer）／ＭＡＣ（Media Access Control）デバイスなどを含み、パケットの送信処理及び受信処理を行う。なお、以下に述べる他のポートＰ１１〜１３，Ｐ２１〜２３，Ｐ４，Ｐ５も、ポートＰ３０〜Ｐ３２と同様の構成を有する。
【００３０】
ポートＰ３０，Ｐ３１は、伝送路を介して通信装置１のポートＰ１０，Ｐ１１とそれぞれ接続されて、パケットを送受信する。ポートＰ３０とポートＰ１０の間のリンクは通信経路Ｒａの一部であり、ポートＰ３１とポートＰ１１の間のリンクは通信経路Ｒｂの一部である。
【００３１】
ポートＰ３２は、伝送路を介して通信装置２のポートＰ２１と接続されて、パケットを送受信する。ポートＰ３２とポートＰ２１の間のリンクは通信経路Ｒｃの一部である。
【００３２】
転送部３０は、通信装置４宛てのパケットをポートＰ３０に転送し、通信装置５宛てのパケットをポートＰ３２に転送する。これにより、通信装置３は、通信経路Ｒａに従い、通信装置１を介して通信装置４と通信し、通信経路Ｒｃに従い、通信装置２を介して通信装置５と通信する。
【００３３】
また、通信装置３と通信装置２との間の回線に障害が発生した場合、ポートＰ３２とポートＰ２１のリンクは切断される。このため、転送部３０は、通信装置２との間の回線に障害が発生した場合、通信装置５宛てのパケットをポートＰ３１に転送する。これにより、通信装置３は、通信経路Ｒｂに従い、通信装置１を介して通信装置５と通信する。
【００３４】
ＩＦカード１１は、転送部（ＦＷＤ）１１０と、ポートＰ１０，Ｐ１１とを有する。転送部１１０は、ＳＷカード１４から入力されたパケットを、その送信元に応じたポートＰ１０，Ｐ１１に転送し、Ｐ１０，Ｐ１１から入力されたパケットをＳＷカード１４に転送する。より具体的には、転送部１１０は、通信装置４からのパケットをポートＰ１０に出力し、通信装置５からのパケットをポートＰ１１に出力する。これにより、通信装置４からのパケットは、通信経路Ｒａに従い通信装置３に送信され、通信装置５からのパケットは、通信経路Ｒｂに従い通信装置３に送信される。
【００３５】
ＩＦカード１２は、転送部（ＦＷＤ）１２０と、ポートＰ１３とを有する。転送部１２０は、ＳＷカード１４から入力されたパケットをポートＰ１３に転送し、ポートＰ１３から入力されたパケットをＳＷカード１４に転送する。ポートＰ１３は、伝送路を介してコアネットワークＮＷ内の通信装置４と接続されている。
【００３６】
通信装置４は、転送部（ＦＷＤ）４０と、ポートＰ４とを有する。転送部４０は、コアネットワークＮＷ内の他の通信装置から受信したパケットをポートＰ４に出力し、ポートＰ４から入力されたパケットをコアネットワークＮＷ内の他の通信装置に転送する。ポートＰ４は、ＩＦカード１２内のポートＰ１３と接続され、パケットを送受信する。
【００３７】
ＩＦカード１３は、転送部（ＦＷＤ）１３０と、ポートＰ１２と、プロトコル処理部１３１ａとを有する。転送部１３０は、ＳＷカード１４から入力されたパケットをポートＰ１２に転送し、ポートＰ１２から入力されたパケットをＳＷカード１４に転送する。ポートＰ１２は、伝送路を介して通信装置２と接続され、通信装置２とパケットを送受信する。プロトコル処理部１３１ａは、ポートＰ１２に接続され、ポートＰ１２を介し通信装置２のＩＦカード２３とＤＲＣＰパケットを送受信する。ポートＰ１２は、通信装置２のポートＰ２２と接続され、パケットを送受信する。
【００３８】
制御カード１０ａは、ＳＷカード１４に経路設定を行う。ＳＷカード１４には、ＩＦカード１１の転送部１１０とＩＦカード１２の転送部１２０を結ぶ経路（実線参照）と、ＩＦカード１１の転送部１１０とＩＦカード１３の転送部１３０を結ぶ経路（点線参照）とが設定されている。ＩＦカード１１の転送部１１０とＩＦカード１２の転送部１２０を結ぶ経路は、通信経路Ｒａの一部であり、ＩＦカード１１の転送部１１０とＩＦカード１３の転送部１３０を結ぶ経路は、通信経路Ｒｂの一部である。
【００３９】
ＳＷカード１４は、ＩＦカード１２の転送部１２０及びＩＦカード１３の転送部１３０から入力された通信装置３宛てのパケットを、ＩＦカード１１の転送部１１０に出力する。また、ＳＷカード１４は、ＩＦカード１１の転送部１１０から入力された通信装置４宛てのパケットをＩＦカード１２の転送部１２０に出力し、ＩＦカード１１の転送部１１０から入力された通信装置５宛てのパケットをＩＦカード１３の転送部１３０に出力する。
【００４０】
ＩＦカード２３は、転送部（ＦＷＤ）２３０と、ポートＰ２２と、プロトコル処理部２３１ａとを有する。転送部２３０は、ＳＷカード２４から入力されたパケットをポートＰ２２に転送し、ポートＰ２２から入力されたパケットをＳＷカード２４に転送する。ポートＰ２２は、伝送路を介して通信装置１のポートＰ１２と接続され、通信装置２とパケットを送受信する。プロトコル処理部２３１ａは、ポートＰ２２に接続され、ポートＰ２２を介し通信装置１のプロトコル処理部１３１ａとＤＲＣＰパケットを送受信する。
【００４１】
ＩＦカード２１は、転送部（ＦＷＤ）２１０と、監視部２１１ａと、ポートＰ２１とを有する。監視部２１１ａには、制御カード２０ａによりＭＥＰが設定されている。監視部２１１ａは、転送部２１０を介してコアネットワークＮＷ内の通信装置５内のＭＥＰとＣＣＭを送受信することにより、ＩＦカード２１と通信装置５の間の通信経路の状態を監視する。監視部２１１ａは、通信装置５内のＭＥＰからＣＣＭを受信し、そのＣＣＭに対する応答パケットとして、ＣＣＭをそのＭＥＰに送信する。なお、監視部２１１ａで受信するＣＣＭは、ネットワーク回線側の通信経路を監視するための監視パケットの一例である。また、本明細書では、ＣＣＭを通常のパケットとは区別して記載する。
【００４２】
転送部２１０は、ＳＷカード２４から入力されたＣＣＭを監視部２１１ａに転送し、ＳＷカード２４から入力された通信装置３宛てのパケットをポートＰ２１に転送する。また、転送部２１０は、ポートＰ２１から入力されたパケット、及び監視部２１１ａから入力されたＣＣＭをＳＷカード２４に転送する。
【００４３】
ＩＦカード２２は、転送部（ＦＷＤ）２２０と、ポートＰ２３とを有する。転送部２２０は、ＳＷカード２４から入力されたパケットをポートＰ２３に転送し、ポートＰ２３から入力されたパケットをＳＷカード２４に転送する。ポートＰ２３は、伝送路を介してコアネットワークＮＷ内の通信装置５と接続されている。
【００４４】
通信装置５は、転送部（ＦＷＤ）５０と、監視部５１と、ポートＰ５とを有する。監視部５１にはＭＥＰが設定されている。監視部５１は、転送部５０を介してＩＦカード２１内の監視部２１１ａのＭＥＰとＣＣＭを送受信することにより、ＩＦカード２１と通信装置５の間の通信経路の状態を監視する。
【００４５】
より具体的には、監視部５１，２１１ａは、ＳＷカード２４及びＩＦカード２２を経由する経路Ｒｘに従い、ＣＣＭを送受信する。監視部５１，２１１ａは、ＣＣＭを所定周期内に受信できない場合、例えば警報としてＬＯＣを検出し、ＣＣＭを所定周期内に受信できた場合、その応答としてＣＣＭを送信する。このため、通信装置２は、ネットワーク回線側の通信経路Ｒｃの状態を監視することができる。
【００４６】
転送部５０は、コアネットワークＮＷ内の他の通信装置から受信したパケット、及び監視部５１から入力されたＣＣＭをポートＰ５に出力する。転送部５０は、ポートＰ５から入力されたパケットをコアネットワークＮＷ内の他の通信装置に転送し、ポートＰ５から入力されたＣＣＭを監視部５１に転送する。ポートＰ５は、ＩＦカード２２内のポートＰ２３と接続され、パケットを送受信する。
【００４７】
制御カード２０ａは、ＳＷカード２４に経路設定を行う。ＳＷカード２４には、制御カード２０ａにより、ＩＦカード２１の転送部２１０とＩＦカード２２の転送部２２０を結ぶ経路（実線参照）と、ＩＦカード２３の転送部２３０とＩＦカード２２の転送部２２０を結ぶ経路（点線参照）とが設定されている。ＩＦカード２１の転送部２１０とＩＦカード２２の転送部２２０を結ぶ経路は、通信経路Ｒｃの一部であり、ＩＦカード２３の転送部２３０とＩＦカード２２の転送部２２０を結ぶ経路は、通信経路Ｒｂの一部である。
【００４８】
ＳＷカード２４は、ＩＦカード２１の転送部２１０及びＩＦカード２３の転送部２３０から入力された通信装置５宛てのパケット及びＣＣＭを、ＩＦカード２２の転送部２２０に出力する。また、ＳＷカード２４は、ＩＦカード２２の転送部２２０から入力されたパケット及びＣＣＭの出力先を、通信装置３と通信装置２の間の回線の障害の有無に応じて切り替える。
【００４９】
ＳＷカード２４は、ＩＦカード２２の転送部２２０から入力された通信装置３宛てのパケット及びＣＣＭを、回線の障害が発生していない場合、ＩＦカード２１の転送部２１０に出力し、回線の障害が発生した場合、ＩＦカード１３の転送部１３０に出力する。
【００５０】
このように、転送部２２０及びＳＷカード２４は、回線の障害が発生していない場合、コアネットワークＮＷ内の通信装置５からパケットを受信して通信装置３に転送する。なお、転送部２１０，２２０，２３０及びＳＷカード２４は第２転送処理部の一例である。
【００５１】
図３には、比較例の通信システム通信経路の切り替え動作が示されている。図３において、図２と共通する構成については同一の符号を付し、その説明を省略する。
【００５２】
通信装置３と通信装置２の間の回線に障害が発生したとき（「障害」参照）、制御カード２０ａは、例えばＩＦカード２１のポートＰ２１からのリンクダウン通知により障害を検出する。制御カード２０ａは、回線の障害を検出した場合、ＳＷカード２４の経路設定を切り替える。これにより、ＳＷカード２４において、通信装置５から送信されたパケット及びＣＣＭの出力先が、ＩＦカード２１からＩＦカード２３に変更される。
【００５３】
したがって、ＳＷカード２４は、ＩＦカード２２の転送部２２０から入力されたパケット及びＣＣＭを、ＩＦカード２３の転送部２３０に出力する。したがって、通信装置５から送信された通信装置３宛てのパケットは、通信装置２，１を順に経由する通信経路Ｒｂに従い、通信装置３に到着する。
【００５４】
また、通信装置３の転送部３０は、通信装置５宛てのパケットをポートＰ３１に出力する。このため、通信装置５宛てのパケットは、通信装置１，２を順に経由する通信経路Ｒｂに従い、通信装置５に到着する。
【００５５】
このように、通信装置２において、ＩＦカード２２，２３の転送部２２０，２３０及びＳＷカード２４は、通信装置３と通信装置２の間の回線に障害が発生した場合、通信装置１を介して通信装置３と通信することにより中継処理を継続する。つまり、転送部２２０，２３０及びＳＷカード２４は、通信装置３との間の回線に障害が発生したとき、通信装置１を介してパケットを通信装置３に転送する。このため、通信装置３は、通信装置２との間の回線に障害が発生した場合でも、通信装置２を介してコアネットワークＮＷと通信を継続できる。
【００５６】
一方、通信装置１では、ＩＦカード１１，１３の転送部１１０，１３０及びＳＷカード１４が、通信装置３と通信装置２の間の回線に障害が発生したとき、予備系の通信経路Ｒｂに従い、通信装置２を介してコアネットワークＮＷと通信することにより通信装置２の中継処理を継続する。つまり、転送部１１０，１３０及びＳＷカード１４は、通信装置３と通信装置２の間の回線に障害が発生したとき、コアネットワークＮＷ内の通信装置５から通信装置２を介してパケットを受信し、通信装置３に転送する。
【００５７】
このため、通信装置３は、通信装置２との間の回線に障害が発生した場合でも、通信装置２を介してコアネットワークＮＷと通信を継続できる。なお、転送部１１０，１２０，１３０及びＳＷカード１４は第１転送処理部の一例である。
【００５８】
このように、ＭＣ−ＬＡＧによると、通信装置３と通信装置２の間のリンクに障害が発生した場合、通信経路が切り替えられるが、通信装置２内のＭＥＰは切り替え前の通信経路Ｒｃ上に設定されたままである。このため、通信装置２では、以下に述べるように、ＣＣＭの未受信による警報が誤って検出され、切り替え後の通信経路Ｒｂの状態の監視ができない。
【００５９】
ＩＦカード２１の監視部２１１ａから送信されたＣＣＭは、障害が発生した場合でも、ＳＷカード２４内の経路が変更されないため、通信装置５の監視部５１に到着する。しかし、通信装置５の監視部５１から送信されたＣＣＭは、上述したＳＷカード２４内の経路の変更のため、通信装置１のＩＦカード１３、ＳＷカード１４、及びＩＦカード１１を順に経由する経路Ｒｙに従って通信装置３に送信される。このため、ＣＣＭは、ＩＦカード２１の監視部２１１ａで受信されない（「未受信」参照）。
【００６０】
したがって、監視部２１１ａは、通信装置５の監視部５１からのＣＣＭの未受信を原因としてＬＯＣを検出する（「ＬＯＣ」参照）。よって、障害により通信経路が切り替えられた場合、切り替え後の通信経路Ｒｂの状態の監視ができない。
【００６１】
そこで、実施例では、通信装置３と通信装置２の間の回線に障害が発生したとき、通信装置１が、コアネットワークＮＷとの間でＣＣＭを送受信することで、通信経路の状態を監視する。
【００６２】
図４は、実施例の通信システムを示す構成図である。図４において、図２と共通する構成については、同一の符号を付し、その説明を省略する。
【００６３】
通信装置１は、ＩＦカード１１〜１３と、ＳＷカード１４と、制御カード１０とを有する。また、通信装置２は、ＩＦカード２１〜２３と、ＳＷカード２４と、制御カード２０とを有する。
【００６４】
本例の通信装置１において、制御カード１０は、ＩＦカード１１に予めＭＥＰを設定しておく。より具体的には、ＩＦカード１１には監視部１１１が設けられており、監視部１１１にＭＥＰが設定される。
【００６５】
制御カード１０は、監視部１１１のＭＥＰを有効または無効に設定可能である。制御カード１０は、通信装置３と通信装置２の間の回線に障害が発生していない場合、ＭＥＰを無効に設定し、通信装置３と通信装置２の間の回線に障害が発生した場合、ＭＥＰを有効に設定する。
【００６６】
監視部１１１は、ＭＥＰが有効に設定されたとき、コアネットワークＮＷ内の通信装置５の監視部５１とＣＣＭの送受信を開始する。このとき、通信装置２において、ＩＦカード２２，２３の転送部２２０，２３０及びＳＷカード２４は、コアネットワークＮＷと通信装置２の間でＣＣＭを中継する。
【００６７】
監視部１１１と監視部５１は、通信装置１のＳＷカード１４及びＩＦカード１３と、通信装置２のＳＷカード２４及びＩＦカード２２，２３とを介して、ＣＣＭを送受信する。このため、ＣＣＭは、ＩＦカード１１，１３及びＳＷカード１４の中継経路である予備系の通信経路Ｒｂに沿って送受信される。
【００６８】
このように、監視部１１１は、通信装置３と通信装置２の間の回線に障害が発生したとき、ＩＦカード１１，１３及びＳＷカード１４の中継経路に従い、通信装置２を介してコアネットワークＮＷとの間でＣＣＭを送受信する。つまり、監視部１１１は、通信装置２，３の間の回線に障害が発生したとき、ＣＣＭを通信装置２から受信し、その応答パケットとしてのＣＣＭを通信装置２に送信する。このため、監視部１１１は、障害発生時でも通信経路Ｒｂの状態を監視できる。なお、監視部１１１は第１送受信部の一例である。
【００６９】
また、監視部１１１は、ＭＥＰが無効に設定されたとき、監視部５１とＣＣＭの送受信を停止する。このため、監視部１１１は、通信装置３と通信装置２の間の回線に障害が発生していないとき、通信経路Ｒｂの状態を監視しない。
【００７０】
一方、通信装置２は、ＩＦカード２１内のＭＥＰを無効に設定することにより、ＬＯＣの誤検出を防止する。ＩＦカード２１は、ポートＰ２１、転送部２１０、及び監視部２１１を有する。
【００７１】
制御カード２０は、監視部２１１のＭＥＰを有効または無効に設定可能である。制御カード２０は、通信装置３と通信装置２の間の回線に障害が発生していない場合、ＭＥＰを無効に設定し、通信装置３と通信装置２の間の回線に障害が発生した場合、ＭＥＰを有効に設定する。
【００７２】
監視部２１１は、ＭＥＰが有効に設定されたとき、比較例の監視部２１１ａと同様に、コアネットワークＮＷ内の通信装置５の監視部５１とＣＣＭの送受信を開始する。監視部２１１と監視部５１は、通信装置２のＳＷカード２４及びＩＦカード２２を介して、ＣＣＭを送受信する。
【００７３】
つまり、監視部２１１は、通信装置２，３の間の回線に障害が発生していない場合、コアネットワークＮＷ内の通信装置５からＣＣＭを受信し、その応答パケットとしてのＣＣＭをコアネットワークＮＷに送信する。このため、ＣＣＭは、ＳＷカード２４及びＩＦカード２２の中継経路である現用系の通信経路Ｒｃに沿って送受信される。したがって、監視部２１１は、障害が発生していないとき、通信経路Ｒｃの状態を監視できる。
【００７４】
また、監視部２１１は、ＭＥＰが無効に設定されたとき、ＣＣＭの送受信を停止する。このため、監視部１１１は、通信装置３と通信装置２の間の回線に障害が発生していないとき、通信経路Ｒｃの状態を監視しない。
【００７５】
このように、監視部２１１は、通信装置３と通信装置２の間の回線に障害が発生する前、ＣＣＭをコアネットワークＮＷとの間で送受信し、障害が発生したとき、ＣＣＭの送受信を停止する。このため、監視部２１１は、障害が発生したとき、ＬＯＣなどの警報の誤検出を防止できる。したがって、通信装置１の監視部１１１は、監視部２１１に代わり、通信経路を監視できる。なお、監視部２１１は第２送受信部の一例である。
【００７６】
また、通信装置１のＩＦカード１３のプロトコル処理部１３１と通信装置２のＩＦカード２３のプロトコル処理部２３１は、比較例のプロトコル処理部１３１ａ，２３１ａと同様に、ポートＰ１２，２２を介して互いにＤＲＣＰパケットを送受信する。プロトコル処理部１３１，２３１は、ＤＲＣＰパケットにより指示及び応答を送受信する（「指示／応答」参照）。制御カード２０は、通信装置３と通信装置２の間の回線に障害を検出したとき、ＩＦカード２３のプロトコル処理部２３１にＭＥＰの切り替え指示を出力する。
【００７７】
プロトコル処理部２３１は、ＭＥＰの切り替え指示をＤＲＣＰパケットに含めて、通信装置１のＩＦカード１３のプロトコル処理部１３１に送信する。プロトコル処理部１３１は、ＭＥＰの切り替え指示の受信を制御カード１０に通知する。制御カード１０は、その受信の通知に応じて監視部１１１のＭＥＰを有効に設定する。これにより、監視部１１１は、ＣＣＭの送受信を開始する。
【００７８】
このように、通信装置２のプロトコル処理部２３１は、通信装置３との間の回線の障害が発生したとき、通信装置１の監視部１１１に、ＣＣＭの送受信の開始を指示する。監視部１１１は、障害が発生したとき、通信装置２のプロトコル処理部２３１からの指示に従いＣＣＭの送受信を開始する。
【００７９】
したがって、通信装置２は、通信装置３との間の回線の障害が発生したとき、通信装置１の監視部１１１に、ＣＣＭの送受信の開始タイミングを通知することができる。なお、通信装置２のプロトコル処理部２３１は指示部の一例である。
【００８０】
図５には、実施例の通信システムの通信経路の切り替え前の動作が示されている。図５において、図４と共通する構成については、同一の符号を付し、その説明を省略する。
【００８１】
通信装置３は、通信装置２との間の回線の障害が発生していないとき、現用系の通信経路Ｒｃを介してコアネットワークＮＷと通信する。すなわち、通信装置２は、ＩＦカード２１，２２及びＳＷカード２４を経由する通信経路Ｒｃを介して、通信装置３と通信装置５の間の通信を中継する。
【００８２】
また、通信装置２の制御カード２０は、通信装置３との間の回線の障害が発生していないとき、監視部２１１のＭＥＰを有効に設定する。このため、監視部２１１は、ＩＦカード２１，２２及びＳＷカード２４を経由する経路Ｒｗを介して、通信装置５の監視部５１とＣＣＭを送受信する。すなわち、監視部２１１は、ＩＦカード２１，２２の転送部２１０，２２０及びＳＷカード２４のパケットの中継経路に従いＣＣＭを送受信する。
【００８３】
また、通信装置１の制御カード１０は、通信装置２と通信装置３の間の回線の障害が発生していないとき、監視部１１１のＭＥＰを無効に設定する。このため、監視部１１１は、ＣＣＭの送受信を停止している。
【００８４】
図６には、実施例の通信システムの通信経路の切り替え後の動作が示されている。図６において、図４と共通する構成については、同一の符号を付し、その説明を省略する。
【００８５】
通信装置２の制御カード２０は、通信装置３との間の回線の障害が発生したとき、監視部２１１のＭＥＰを無効に設定する。このため、監視部２１１は、ＣＣＭの送受信を停止している。したがって、ＬＯＣなどの警報の検出が防止される。
【００８６】
また、ＩＦカード２２，２３の転送部２２０，２３０及びＳＷカード２４は、通信装置３との間の回線の障害が発生したとき、コアネットワークＮＷからのＣＣＭを通信装置１に送信し、通信装置１からそのＣＣＭに対する応答パケットとしてのＣＣＭを受信してコアネットワークＮＷ内の通信装置５に転送する。このため、監視部１１１は、上述したように、コアネットワークＮＷとの間の通信経路の状態を監視できる。
【００８７】
また、通信装置２のプロトコル処理部２３１は、通信装置１のプロトコル処理部１３１にＭＥＰの切り替え指示を送信する。プロトコル処理部１３１は、制御カード１０に指示の受信を通知する。
【００８８】
通信装置１の制御カード１０は、ＭＥＰの切り替え指示の受信通知に応じ、監視部１１１のＭＥＰを有効に設定する。このため、監視部１１１は、ＩＦカード１１，１３，２１，２２及びＳＷカード１４，２４を経由する経路Ｒｐを介して、通信装置５の監視部５１とＣＣＭを送受信する。すなわち、監視部１１１は、ＩＦカード１１，１３の転送部１１０，１３０及びＳＷカード１４のパケットの中継経路に従いＣＣＭを送受信する。
【００８９】
制御カード１０は、監視部１１１のＭＥＰを有効に設定した後、プロトコル処理部１３１に、ＭＥＰの切り替え指示に対する応答として、ＭＥＰの切り替えの完了の通知を指示する。プロトコル処理部１３１は、完了通知を含むＤＲＣＰパケットを通信装置２のプロトコル処理部２３１に送信する。プロトコル処理部２３１は、ＭＥＰ切り替えの完了通知の受信を制御カード２０に通知する。
【００９０】
なお、通信装置２と通信装置３の間の回線の障害が復旧した場合、通信装置１，２は、通信状態を図５の状態に戻してもよい。この場合、通信装置１のプロトコル処理部１３１は、通信装置２のプロトコル処理部２３１に、ＭＥＰの切り戻しの指示を含むＤＲＣＰパケットを送信する。これにより、通信装置２の制御カード２０は、監視部２１１のＭＥＰを有効に戻す設定を行う。一方、通信装置１の制御カード１０は、回線の障害を検出すると、監視部１１１のＭＥＰを無効に戻す。
【００９１】
図７は、実施例の通信システムの動作を示すシーケンス図である。通信装置２と通信装置３の間の回線の障害の発生前、通信装置２の監視部２１１は、ＭＥＰの設定が有効であるため、通信装置５の監視部５１とＣＣＭを送受信する。なお、監視部５１，２１１は、ＣＣＭの送信後、所定時間内にＣＣＭを受信しない場合、ＬＯＣを検出する。
【００９２】
通信装置２の制御カード２０は、通信装置２と通信装置３の間の回線の障害を検出すると（符号Ｓ１参照）、監視部２１１のＭＥＰを無効に設定する。これにより、監視部２１１は、ＣＣＭの送受信を停止する（符号Ｓ２参照）。
【００９３】
次に、制御カード２０は、ＭＥＰの切り替え指示をプロトコル処理部２３１に出力する。次に、プロトコル処理部２３１は、ＭＥＰの切り替え指示を含むＤＲＣＰパケットを、通信装置１のプロトコル処理部１３１に送信する。
【００９４】
プロトコル処理部１３１は、ＭＥＰの切り替え指示を含むＤＲＣＰパケットの受信を、制御カード１０に通知する。制御カード１０は、受信通知を受けると、監視部１１１のＭＥＰを有効に設定する。これにより、監視部１１１は、通信装置２の監視部５１との間でＣＣＭの送受信を監視する（符号Ｓ３参照）。
【００９５】
次に、制御カード１０は、ＭＥＰの切り替えの完了通知をプロトコル処理部１３１に指示する。プロトコル処理部１３１は、ＭＥＰの切り替え完了通知を含むＤＲＣＰパケットを、通信装置２のプロトコル処理部２３１に送信する。プロトコル処理部２３１は、ＭＥＰの切り替え完了通知を含むＤＲＣＰパケットの受信を、制御カード２０に通知する。このようにして、通信システムは動作する。
【００９６】
図８はＤＲＣＰパケットの一例を示す構成図である。ＤＲＣＰパケットは、ＩＥＥＥ８０２．１ａｘに規定された「ＤＲＣＰ  ＰＤＵ（Protocol Data Unit）」に、新たなＴＬＶ（Type, Length and Value）として、「ＭＥＰ  Ｉｎｆｏｒｍａｔｉｏｎ」を追加したものである。「ＤＲＣＰ  ＰＤＵ」には、「Ｓｕｂｔｙｐｅ＝ＤＲＣＰ」や「Ｖｅｒｓｉｏｎ  Ｎｕｍｂｅｒ」などの各種の制御情報が含まれている。
【００９７】
「ＭＥＰ  Ｉｎｆｏｒｍａｔｉｏｎ」は、ＭＥＰの切り替えに関する１（Byte）の制御情報が含まれる。プロトコル処理部１３１，２３１は、「ＭＥＰ  Ｉｎｆｏｒｍａｔｉｏｎ」を使用しない場合、０ｘ００の値に設定する（「Normal」参照）。なお、「０ｘ」は、１６進数表記を表す。
【００９８】
通信装置２のプロトコル処理部２３１は、ＭＥＰの切り替え指示を含むＤＲＣＰパケットを、通信装置１のプロトコル処理部１３１に送信するとき、「ＭＥＰ  Ｉｎｆｏｒｍａｔｉｏｎ」を０ｘ０１の値に設定する。通信装置１のプロトコル処理部１３１は、ＭＥＰの切り替え完了通知を含むＤＲＣＰパケットを、通信装置２のプロトコル処理部２３１に送信するとき、「ＭＥＰ  Ｉｎｆｏｒｍａｔｉｏｎ」を０ｘ１１の値に設定する。また、通信装置１のプロトコル処理部１３１は、ＭＥＰの切り戻し指示を含むＤＲＣＰパケットを、通信装置２のプロトコル処理部２３１に送信するとき、「ＭＥＰ  Ｉｎｆｏｒｍａｔｉｏｎ」を０ｘ１０の値に設定する。
【００９９】
なお、「ＭＥＰ  Ｉｎｆｏｒｍａｔｉｏｎ」は、ＤＲＣＰパケットに限定されず、他のパケットに含まれてもよい。すなわち、プロトコル処理部１３１，２３１は、ＤＲＣＰに限定されず、他のプロトコルに従って「ＭＥＰ  Ｉｎｆｏｒｍａｔｉｏｎ」を送受信してもよい。
【０１００】
図９は、ＭＥＰの切り替えに関する制御パケットの他例を示す構成図である。制御パケットは、ＤＡ（Destination Address）、ＳＡ（Source Address）、Ｔｙｐｅ（＝０ｘ８９０２）、「ＴＬＶ  Ｏｆｆｓｅｔ」（＝０ｘ１）、「ＭＥＰ  Ｉｎｆｏｒｍａｔｉｏｎ」、「ＥＮＤ  ＴＬＶ」（＝０ｘ００）、及びＦＣＳ（Frame Check Sequence）を含む。
【０１０１】
ＤＡは、制御パケットの送信元のＭＡＣアドレスを示し、ＳＡは、制御パケットの宛先のＭＡＣアドレスを示す。Ｔｙｐｅは制御パケットの種類を示す。
【０１０２】
「ＴＬＶ  Ｏｆｆｓｅｔ」及び「ＥＮＤ  ＴＬＶ」は、「ＭＥＰ  Ｉｎｆｏｒｍａｔｉｏｎ」の始点及び終点をそれぞれ示す。「ＭＥＰ  Ｉｎｆｏｒｍａｔｉｏｎ」の内容は、一例としてＤＲＣＰパケットの場合と同様に規定される（点線の枠内参照）。ＦＣＳは、制御パケットのデータ誤りの訂正符号である。
【０１０３】
なお、制御パケットは、「０」値のパディングにより、一例として６４（Byte）長のパケットとして生成されるが、これに限定されない。
【０１０４】
本実施例の通信システムは、通信経路の切り替えに従って、通信装置１のＭＥＰと通信装置２のＭＥＰを切り替えて使用するが、複数のＭＥＰを含むＭＥＰインスタンスグループを単位とした使用の切り替えも可能である。
【０１０５】
図１０には、ＭＥＰインスタンスグループの切り替え動作の一例が示されている。図１０において、図１と共通する構成については同一の符号を付し、その説明を省略する。
【０１０６】
通信装置１には、ＭＥＰ＃１Ａ〜ＭＥＰ＃ｎＡ（ｎ：正の整数）を含むＭＥＰインスタンスグループＧＡが設定されている。また、通信装置２には、ＭＥＰ＃１Ｂ〜ＭＥＰ＃ｎＢを含むＭＥＰインスタンスグループＧＢが設定されている。
【０１０７】
通信システムは、通信経路の切り替えに応じて、使用するＭＥＰインスタンスグループＧＡ，ＧＢを切り替える（「切り替え」参照）。これにより、通信システムは、複数のＭＥＰを一括で制御し、通信経路の状態の監視を継続することができる。
【０１０８】
これまで述べたように、実施例に係る通信装置１は、所定の通信装置３とコアネットワークＮＷの間の通信を中継する。通信装置１は、転送部１１０，１３０、ＳＷカード１４、及び監視部１１１を有する。
【０１０９】
転送部１１０，１３０及びＳＷカード１４は、通信装置２と通信装置３の間の回線に障害が発生したとき、コアネットワークＮＷから通信装置２を介してパケットを受信し、通信装置３に転送する。また、監視部１１１は、障害が発生したとき、通信装置２とコアネットワークＮＷの間の通信経路を監視するためのＣＣＭを通信装置２から受信し、そのＣＣＭに対する応答パケットとしてのＣＣＭを通信装置２に送信する。
【０１１０】
上記の構成によると、転送部１１０，１３０及びＳＷカード１４は、コアネットワークＮＷから通信装置２を介してパケットを通信装置３に転送するため、通信装置３は、通信装置２との間の回線に障害が発生した場合でもコアネットワークＮＷと通信を継続できる。また、監視部１１１は、通信装置２を介してコアネットワークＮＷとの間でＣＣＭを送受信するため、障害発生時でも通信経路Ｒｂの状態を監視できる。
【０１１１】
また、実施例に係る通信装置２は、所定の通信装置３とコアネットワークＮＷの間の通信を中継する。通信装置２は、転送部２１０，２２０，２３０、ＳＷカード２４、及び監視部２１１を有する。
【０１１２】
転送部２１０，２２０及びＳＷカード２４は、コアネットワークＮＷからパケットを受信して所定の通信装置３に転送する。転送部２２０，２３０及びＳＷカード２４は、通信装置３との間の回線に障害が発生したとき、通信装置１を介してパケットを所定の通信装置３に転送する。
【０１１３】
また、監視部２１１は、コアネットワークＮＷからＣＣＭを受信し、そのＣＣＭに対する応答パケットとしてのＣＣＭをコアネットワークＮＷに送信する。転送部２２０，２３０及びＳＷカード２４は、通信装置３との間の回線に障害が発生したとき、コアネットワークＮＷからのＣＭＭを通信装置１に送信し、通信装置１からそのＣＣＭに対する応答パケットとしてのＣＣＭを受信してコアネットワークＮＷに転送する。監視部２１１は、通信装置３との間の回線に障害が発生したとき、ＣＣＭの送受信を停止する。
【０１１４】
上記の構成によると、転送部２２０，２３０及びＳＷカード２４は、通信装置１を介してパケットを所定の通信装置３に転送するため、通信装置３は、通信装置２との間の回線に障害が発生した場合でもコアネットワークＮＷと通信を継続できる。
【０１１５】
また、監視部２１１は、通信装置３と通信装置２の間の回線に障害が発生したとき、ＣＣＭの送受信を停止する。このため、監視部２１１は、障害が発生したとき、ＬＯＣなどの警報の誤検出を防止できる。したがって、通信装置１の監視部１１１は、監視部２１１に代わり、通信経路を監視できる。
【０１１６】
また、実施例に係る通信システムは、所定の通信装置３とコアネットワークＮＷの間の通信を中継する通信装置１及び通信装置２を有する。通信装置１は、転送部１１０，１３０、ＳＷカード１４、及び監視部１１１を有する。
【０１１７】
転送部１１０，１３０及びＳＷカード１４は、通信装置２と通信装置３の間の回線に障害が発生したとき、コアネットワークＮＷから通信装置２を介してパケットを受信し、通信装置３に転送する。また、監視部１１１は、障害が発生したとき、通信装置２とコアネットワークＮＷの間の通信経路を監視するためのＣＣＭを通信装置２から受信し、そのＣＣＭに対する応答パケットとしてのＣＣＭを通信装置２に送信する。
【０１１８】
通信装置２は、所定の通信装置３とコアネットワークＮＷの間の通信を中継する。通信装置２は、転送部２１０，２２０，２３０、ＳＷカード２４、及び監視部２１１を有する。
【０１１９】
また、通信装置２は、他の通信装置１とともに所定の通信装置３とコアネットワークＮＷの間の通信を中継する。通信装置２は、転送部２２０，２３０、ＳＷカード２４、及び監視部２１１を有する。
【０１２０】
転送部２１０，２２０及びＳＷカード２４は、コアネットワークＮＷからパケットを受信して所定の通信装置３に転送する。転送部２２０，２３０及びＳＷカード２４は、通信装置３との間の回線に障害が発生したとき、通信装置１を介してパケットを所定の通信装置３に転送する。
【０１２１】
また、監視部２１１は、コアネットワークＮＷからＣＣＭを受信し、そのＣＣＭに対する応答パケットとしてのＣＣＭをコアネットワークＮＷに送信する。転送部２２０，２３０及びＳＷカード２４は、通信装置３との間の回線に障害が発生したとき、コアネットワークＮＷからのＣＭＭを通信装置１に送信し、通信装置１からそのＣＣＭに対する応答パケットとしてのＣＣＭを受信してコアネットワークＮＷに転送する。監視部２１１は、通信装置３との間の回線に障害が発生したとき、ＣＣＭの送受信を停止する。
【０１２２】
実施例に係る通信システムは、実施例に係る通信装置１，２と同様の構成を含むので、上述した内容と同様の作用効果を奏する。
【０１２３】
上述した実施形態は本発明の好適な実施の例である。但し、これに限定されるものではなく、本発明の要旨を逸脱しない範囲内において種々変形実施可能である。
【０１２４】
なお、以上の説明に関して更に以下の付記を開示する。
（付記１）  所定の通信装置とネットワークの間の通信を中継する通信装置において、
他の通信装置と前記所定の通信装置の間の回線に障害が発生したとき、前記ネットワークから前記他の通信装置を介して信号を受信し、前記所定の通信装置に転送する転送処理部と、
前記障害が発生したとき、前記他の通信装置と前記ネットワークの間の通信経路を監視するための監視パケットを前記他の通信装置から受信し、前記監視パケットに対する応答パケットを前記他の通信装置に送信する送受信部とを有することを特徴とする通信装置。
（付記２）  前記送受信部は、前記障害が発生したとき、前記他の通信装置からの指示に従い前記監視パケットの受信及び前記応答パケットの送信を開始することを特徴とする付記１に記載の通信装置。
（付記３）  所定の通信装置とネットワークの間の通信を中継する通信装置において、
前記ネットワークから信号を受信して前記所定の通信装置に転送する転送処理部と、
前記ネットワークから、前記ネットワークとの間の通信経路を監視するための監視パケットを受信し、前記監視パケットに対する応答パケットを前記ネットワークに送信する送受信部とを有し、
前記転送処理部は、前記所定の通信装置との間の回線に障害が発生したとき、他の通信装置を介して前記信号を前記所定の通信装置に転送し、前記ネットワークからの前記監視パケットを前記他の通信装置に送信し、前記他の通信装置から前記監視パケットに対する応答パケットを受信して前記ネットワークに転送し、
前記送受信部は、前記障害が発生したとき、前記監視パケットの受信及び前記応答パケットの送信を停止することを特徴とする通信装置。
（付記４）  前記障害が発生したとき、前記他の通信装置に、前記監視パケットの受信及び前記応答パケットの送信の開始を指示する指示部を、さらに有することを特徴とする付記３に記載の通信装置。
（付記５）  所定の通信装置とネットワークの間の通信を中継する第１通信装置及び第２通信装置を有する通信システムにおいて、
前記第１通信装置は、
前記第２通信装置と前記所定の通信装置の間の回線に障害が発生したとき、前記ネットワークから前記第２通信装置を介して信号を受信し、前記所定の通信装置に転送する第１転送処理部と、
前記障害が発生したとき、前記第２通信装置と前記ネットワークの間の通信経路を監視するための監視パケットを前記第２通信装置から受信し、前記監視パケットに対する応答パケットを前記第２通信装置に送信する第１送受信部とを有し、
前記第２通信装置は、
前記ネットワークから前記信号を受信して前記所定の通信装置に転送する第２転送処理部と、
前記ネットワークから前記監視パケットを受信し、前記監視パケットに対する前記応答パケットを前記ネットワークに送信する第２送受信部とを有し、
前記第２転送処理部は、前記障害が発生したとき、前記第１通信装置を介して前記信号を前記所定の通信装置に転送し、前記ネットワークからの前記監視パケットを前記第１通信装置に送信し、前記第１通信装置から前記応答パケットを受信して前記ネットワークに転送し、
前記第２送受信部は、前記障害が発生したとき、前記監視パケットの受信及び前記応答パケットの送信を停止することを特徴とする通信システム。
（付記６）  前記第２通信装置は、前記障害が発生したとき、前記第１通信装置に、前記監視パケットの受信及び前記応答パケットの送信の開始を指示する指示部を、さらに有し、
前記第１送受信部は、前記指示部からの指示に従い前記監視パケットの受信及び前記応答パケットの送信を開始することを特徴とする付記５に記載の通信システム。
【符号の説明】
【０１２５】
１〜５，９      通信装置
１０，１０ａ，２０，２０ａ    制御カード
１１〜１３，２１〜２３    インターフェースカード
１４，２４      ＳＷカード
１１０，１３０，２２０，２３０   転送部
１１１，１１１ａ，２１１，２１１ａ   監視部
１３１，１３１ａ，２３１，２３１ａ   プロトコル処理部
ＮＷ       コアネットワーク
【図１】
2017092870.tif 000003
【図２】
2017092870.tif 000004
【図３】
2017092870.tif 000005
【図４】
2017092870.tif 000006
【図５】
2017092870.tif 000007
【図６】
2017092870.tif 000008
【図７】
2017092870.tif 000009
【図８】
2017092870.tif 000010
【図９】
2017092870.tif 000011
【図１０】
2017092870.tif 000012